(57)【特許請求の範囲】
【請求項１】
水面に浮上しているケーソンに注水を行い、既設構造物に隣接する所定の位置に据付けるためのケーソン誘導管理システムであって、
前記ケーソンに設けられた注水用の枡毎に設置される複数の水位計と、前記ケーソンに設置される二軸傾斜計と、前記既設構造物側に設置される、自動追尾機能を有する２台のトータルステーションと、システム全体の制御を行うシステム制御部とを含み、
該システム制御部は、前記複数の水位計により計測される枡の水位データに基づいて、前記ケーソンに設けられた全ての枡への注水を管理するために必要な情報を算出し、前記２台のトータルステーションと前記二軸傾斜計とにより計測される前記ケーソンの位置及び角度データに基づいて、前記ケーソンを前記所定の位置に誘導するために必要な情報を算出し、
前記システム制御部は、平面視方向からの前記ケーソンを表す矩形と該矩形の端辺上に設定される２つの誘導点とを用いて前記ケーソンの現在の位置を示した現在位置図と、前記ケーソンが前記所定の位置にある場合の、前記２つの誘導点の位置を表す２つの目標点と前記矩形とを用いて前記所定の位置を示した目標位置図と、前記２つの誘導点と前記２つの目標点との夫々の距離と、前記現在位置図における前記矩形の４つの頂角部夫々の高さと、前記ケーソンの現在の傾斜量を正面視方向から表した正面傾斜図と、前記ケーソンの現在の傾斜量を側面視方向から表した側面傾斜図との、少なくとも１つを含む誘導情報を、表示部の画面に出力することを特徴とするケーソン誘導管理システム。
【請求項２】
前記システム制御部は、前記ケーソンに設けられた全ての枡の水位と、隣接する枡間の水位差と、入力された時間経過後の予測水位と、前記ケーソンを平面視した場合の４つの頂角部夫々の、所定の高さを基準位置とした相対的な高さと、前記４つの頂角部のうちの１つから、その頂角部を形成する端辺に沿って離れた位置に存在する２つの頂角部までの夫々の勾配量との、少なくとも１つを含む注水管理情報を、表示部の画面に出力することを特徴とする請求項１記載のケーソン誘導管理システム。
【請求項３】
前記ケーソン上に設置される装置と前記システム制御部との通信を行うための無線通信手段を備えることを特徴とする請求項１又は２記載のケーソン誘導管理システム。
【請求項４】
前記複数の水位計により計測された水位データを収集及び記録するデータ収録装置を備えることを特徴とする請求項１から３のいずれか１項記載のケーソン誘導管理システム。
【請求項５】
水面に浮上しているケーソンに注水を行い、既設構造物に隣接する所定の位置に誘導する方法であって、
前記ケーソンに設けられた注水用の枡毎に設置される複数の水位計と、前記ケーソンに設置される二軸傾斜計と、前記既設構造物側に設置される、自動追尾機能を有する２台のトータルステーションと、前記ケーソンに設置される二軸傾斜計と、システム全体の制御を行うシステム制御部とを利用し、
前記複数の水位計を用いて、前記ケーソンに設けられた全ての枡の水位を計測し、
前記２台のトータルステーションと前記二軸傾斜計とを用いて、前記ケーソンの位置及び角度を計測し、
前記システム制御部を用いて算出する情報を利用して、前記ケーソンに設けられた全ての枡への注水管理と、前記ケーソンの前記所定の位置への誘導とを行い、
前記システム制御部が表示部の画面に出力する、平面視方向からの前記ケーソンを表す矩形と該矩形の端辺上に設定される２つの誘導点とを用いて前記ケーソンの現在の位置を示した現在位置図と、前記ケーソンが前記所定の位置にある場合の、前記２つの誘導点の位置を表す２つの目標点と前記矩形とを用いて前記所定の位置を示した目標位置図と、前記２つの誘導点と前記２つの目標点との夫々の距離と、前記現在位置図における前記矩形の４つの頂角部夫々の高さと、前記ケーソンの現在の傾斜量を正面視方向から表した正面傾斜図と、前記ケーソンの現在の傾斜量を側面視方向から表した側面傾斜図との、少なくとも１つを含む誘導情報に基づいて、前記ケーソンを誘導することを特徴とするケーソンの誘導管理方法。
【請求項６】
前記システム制御部が表示部の画面に出力する、前記ケーソンに設けられた全ての枡の水位と、隣接する枡間の水位差と、入力された時間経過後の予測水位と、前記ケーソンを平面視した場合の４つの頂角部夫々の、所定の高さを基準位置とした相対的な高さと、前記４つの頂角部のうちの１つから、その頂角部を形成する端辺に沿って離れた位置に存在する２つの頂角部までの夫々の勾配量との、少なくとも１つを含む注水管理情報に基づいて、各枡への注水量を調整することを特徴とする請求項５記載のケーソンの誘導管理方法。
【請求項７】
無線通信手段を用いて、前記ケーソン上に設置される装置と前記システム制御部との通信を行うことを特徴とする請求項５又は６記載のケーソンの誘導管理方法。
【請求項８】
前記ケーソンに設置するデータ収録装置を用いて、前記複数の水位計が計測したデータを収集及び記録することを特徴とする請求項５から７のいずれか１項記載のケーソンの誘導管理方法。
【発明の詳細な説明】
【技術分野】
【０００１】
本発明は、ケーソン誘導管理システムと、これを利用したケーソンの誘導管理方法に関するものである。
【背景技術】
【０００２】
ケーソンを水中等の所定の位置に据付ける際には、一般的に、浮上状態で水中ポンプによりケーソンの枡への注水を行い、ケーソンを所定の重量にして安定させ、所定の位置へケーソンを曳航、誘導した後、更に注水を行ってケーソンを沈降させ、据付を行う方法が用いられる。この際、ケーソンを目標とする位置に可能な限り正確に据付けることが要求されるため、作業管理者は、ケーソンの枡への注水管理を行い、又、トランシットや喫水計を用いてケーソンの傾斜等を計測し、この計測結果に基づいて、トランシーバー等を用いて、ケーソンをクレーンで吊り下げている場合にはクレーンの操作者に対して指示を出し、ケーソンの誘導を行っていた。更に、ＧＰＳシステムを利用してケーソンの位置管理を行い、所定の位置に誘導する方法も用いられている（例えば、特許文献１参照）。
【先行技術文献】
【特許文献】
【０００３】
【特許文献１】特開２００４−２３８９１４号公報
【発明の概要】
【発明が解決しようとする課題】
【０００４】
しかしながら、上記のような方法では、ケーソンの動揺が大きい場合、トランシットや喫水計による計測結果に基づいて、トランシーバー等を用いて誘導を行うと、計測をした時と実際にケーソンの位置を調整する時とでタイムラグが生じ、ケーソンを所定の位置に正確に誘導することが困難になる。更に、ＧＰＳシステムを利用した方法においては、トランシットにより直接計測する方法よりも誘導の精度が低くなり、又、利用できる衛星数の増減により位置情報の受信が不安定になってしまう場合がある。
【０００５】
本発明は上記課題に鑑みてなされたものであり、その目的とするところは、ケーソンを所定の位置に正確に据付けることにある。
【課題を解決するための手段】
【０００６】
（発明の態様）
以下の発明の態様は、本発明の構成を例示するものであり、本発明の多様な構成の理解を容易にするために、項別けして説明するものである。各項は、本発明の技術的範囲を限定するものではなく、発明を実施するための最良の形態を参酌しつつ、各項の構成要素の一部を置換し、削除し、又は、更に他の構成要素を付加したものについても、本願発明の技術的範囲に含まれ得るものである。
【０００７】
（１）水面に浮上しているケーソンに注水を行い、既設構造物に隣接する所定の位置に据付けるためのケーソン誘導管理システムであって、前記ケーソンに設けられた注水用の枡毎に設置される複数の水位計と、前記ケーソンに設置される二軸傾斜計と、前記既設構造物側に設置される、自動追尾機能を有する２台のトータルステーションと、システム全体の制御を行うシステム制御部とを含み、該システム制御部は、前記複数の水位計により計測される枡の水位データに基づいて、前記ケーソンに設けられた全ての枡への注水を管理するために必要な情報を算出し、前記２台のトータルステーションと前記二軸傾斜計とにより計測される前記ケーソンの位置及び角度データに基づいて、前記ケーソンを前記所定の位置に誘導するために必要な情報を算出するケーソン誘導管理システム。
【０００８】
本項に記載のケーソン誘導管理システムは、ケーソンに設けられている注水用の枡毎に設置される、例えば、水圧センサー等の複数の水位計を有しており、これらの水位計を利用して、ケーソンの全ての枡の水位を計測する。そして、水位計により計測した水位データは、据付けるケーソン上以外の任意の既設構造物、例えば、既設のケーソン上に設置される、システム全体の制御を行うシステム制御部に送信される。システム制御部は、この水位データに基づいて、ケーソンの全ての枡への注水を管理するために必要な情報を算出する。そして、これらの情報を参照しながら、ケーソンの各枡への注水量を調整することとすれば、作業員がケーソン上で直接水位を計測する必要がなくなり、安全にケーソンの水位管理を行うものとなる。
【０００９】
又、本項に記載のケーソン誘導管理システムは、例えば、既設のケーソン上に設置される、自動追尾機能を有する２台のトータルステーションを有している。トータルステーションは、目標物にレーザー光等を照射してその反射光を検知し、距離と角度とを同時に計測する機器である。そして、この２台のトータルステーションにより、据付を行うケーソン上に設置される２台の全方向ミラーを追尾して、角度と距離との計測を行う。更に、据付を行うケーソン上に二軸傾斜計を有しており、この二軸傾斜計によるケーソンの傾斜量の計測結果が、システム制御部に送信される。そして、システム制御部は、２台のトータルステーションによる計測結果と、二軸傾斜計による計測結果とを併せて、リアルタイムにケーソンの位置及び角度データを算出し、このケーソンの位置及び角度データに基づいて、ケーソンを所定の位置に誘導するために必要な情報を算出する。このため、これらの情報を参照して、ケーソンを誘導することとすれば、リアルタイムに更新される情報に基づいて、ケーソンを所定の位置に正確に誘導するものとなる。
【００１０】
なお、システム全体の制御を行うシステム制御部は、入力や操作を受け付けるための入力操作部と、算出した各情報を表示するための表示部とを含むものであり、例えば、パーソナルコンピュータを用いて構築される。この場合には、マウスやキーボードが入力操作部であり、パーソナルコンピュータに接続されたディスプレイが表示部である。又、表示部は複数接続されていてもよく、ケーソンの全ての枡への注水を管理するために必要な情報と、ケーソンを所定の位置に誘導するために必要な情報とを、別々の表示部に同時に表示させてもよい。
【００１１】
（２）上記（１）項において、前記システム制御部は、平面視方向からの前記ケーソンを表す矩形と該矩形の端辺上に設定される２つの誘導点とを用いて前記ケーソンの現在の位置を示した現在位置図と、前記ケーソンが前記所定の位置にある場合の、前記２つの誘導点の位置を表す２つの目標点と前記矩形とを用いて前記所定の位置を示した目標位置図と、前記２つの誘導点と前記２つの目標点との夫々の距離と、前記現在位置図における前記矩形の４つの頂角部夫々の高さと、前記ケーソンの現在の傾斜量を正面視方向から表した正面傾斜図と、前記ケーソンの現在の傾斜量を側面視方向から表した側面傾斜図との、少なくとも１つを含む誘導情報を、表示部の画面に出力するケーソン誘導管理システム（請求項１）。
【００１２】
本項に記載のケーソン誘導管理システムは、ケーソンを所定の位置に誘導するために必要な誘導情報として、必要十分な内容を表示部の画面に出力するものである。具体的に説明すると、現在位置の平面視方向からのケーソンを矩形として表示させ、更にその矩形の端辺上に設定される２つの誘導点を表示させて、ケーソンの現在位置図とする。２つの誘導点は、例えば、既設のケーソンに対向する面に該当する矩形の端辺と、この端辺に向かい合う端辺との、夫々の中央部付近に設定される。又、所定の据付位置にある場合のケーソンを平面視方向からの矩形として表示させ、更にその矩形の端辺上に現在位置図における誘導点と同様に設定される２つの目標点を表示させて、ケーソンの目標位置図とする。これら現在位置図と目標位置図とを同時に表示させることで、ケーソンの現在位置と目標誘導位置との位置関係が、直感的に把握されるものとなる。
【００１３】
更に、現在位置図に設定されている２つの誘導点と、目標位置図に設定されている２つの目標点との夫々の距離を表示させる。例えば、現在位置図や目標位置図を正面視した場合の、上下方向と左右方向との夫々の方向に分解して、２つの誘導点と２つの目標点との夫々の距離を表示させる。この距離表示を確認しながら、ケーソンの誘導を行うことで、ケーソンがより正確に目標位置に誘導されることとなる。
又、ケーソンの現在位置図における、矩形として表されたケーソンの４つの頂角部夫々の高さを表示させることで、ケーソンが着底するまでの高さを管理するものとなる。
又、ケーソンの現在の傾斜量を正面視方向から表した正面傾斜図と、側面視方向から表した側面傾斜図とを表示させることで、ケーソンの傾斜量が把握される。そして、これらの正面傾斜図及び側面傾斜図と、ケーソンを平面視方向から示した現在位置図とで、ケーソンの現在の状態が三面方向から示されることになる。
【００１４】
（３）上記（２）項において、前記システム制御部は、前記ケーソンに設けられた各枡への注水量を調整する際に指標となる、隣接する枡間の水位差と、前記ケーソンの高さ方向の勾配量とを算出するケーソン誘導管理システム。
本項に記載のケーソン誘導管理システムは、システム制御部が、水位計により計測する全ての枡の水位データに基づいて、隣接する全ての枡間の水位差を算出する。この枡間の水位差を確認しながら、注水量の調整を行うことで、水位差から生じる水圧による各枡を隔てている壁部の損傷を、未然に防止することになる。
又、システム制御部は、二軸傾斜計により計測するケーソンの傾斜量に基づいて、ケーソンの高さ方向の勾配量を算出する。そして、このケーソンの勾配量を確認しながら、注水作業を行うこととすれば、ケーソンが常に水平状態を保つように、注水量が調整されるものとなる。
【００１５】
（４）上記（２）（３）項において、前記システム制御部は、前記ケーソンを前記所定の位置に誘導する際に指標となる、前記ケーソンの現在の位置から前記所定の位置までの距離と、前記ケーソンの高さ方向の勾配量とを算出するケーソン誘導管理システム。
本項に記載のケーソン誘導管理システムは、ケーソンを所定の位置に誘導するために必要な情報として、ケーソンの現在の位置から所定の位置までの距離と、ケーソンの高さ方向の勾配量とを算出するものである。すなわち、ケーソンを所定の位置に誘導するための、ケーソンの緯度及び経度方向に係る情報を、ケーソンの現在の位置から所定の位置までの距離で表し、ケーソンの高さ方向に係る情報を、ケーソンの勾配量で表すものである。これにより、現在のケーソンの状態を、緯度方向、経度方向、高さ方向の３方向に係る数値で示すことになるため、ケーソンを所定の位置に誘導するための情報を、具体的な内容で提供するものとなる。
【００１６】
（５）上記（２）から（４）項において、前記システム制御部は、前記ケーソンに設けられた全ての枡の水位と、隣接する枡間の水位差と、入力された時間経過後の予測水位と、前記ケーソンを平面視した場合の４つの頂角部夫々の、所定の高さを基準位置とした相対的な高さと、前記４つの頂角部のうちの１つから、その頂角部を形成する端辺に沿って離れた位置に存在する２つの頂角部までの夫々の勾配量との、少なくとも１つを含む注水管理情報を、表示部の画面に出力するケーソン誘導管理システム（請求項２）。
【００１７】
本項に記載のケーソン誘導管理システムは、ケーソンに設けられた全ての枡への注水管理に必要な注水管理情報として、必要十分な内容を表示部の画面に出力するものである。具体的に説明すると、ケーソンに設けられた全ての枡の水位は、ケーソンを平面視した場合の枡の並び方に対応するように各枡の水位を表示させ、又、隣接する枡間の水位差は、各枡の水位の表示の間に、夫々対応する枡間の水位差を表示させる。このように表示させることで、ケーソンに設けられている各枡と、表示されている水位や水位差との対応が、直感的に把握されるものとなる。
【００１８】
又、現在の注水量を保った状態で、システム制御部に入力された予測時間が経過した場合の、各枡の予測水位を表示させる。この予測水位を目安にすることで、注水を停止するタイミングが予測されるものとなる。
更に、平面視したケーソンを矩形として捉え、その矩形の４つの頂角部夫々の高さを、例えば、４つの頂角部のうちの１つを基準位置とした、相対的な高さで表示させる。又、上記と同様に矩形として捉えたケーソンの、４つの頂角部のうちの１つから、その頂角部の対角線上にある頂角部以外の２つの頂角部までの勾配量を、夫々表示させる。これらの表示内容を参照することで、ケーソンが常に水平状態を保つように、注水量が調整されるものとなる。
【００１９】
（６）上記（２）から（５）項において、前記ケーソン上に設置される装置と前記システム制御部との通信を行うための無線通信手段を備えるケーソン誘導管理システム（請求項３）。
本項に記載のケーソン誘導管理システムは、ケーソン上に設置される複数の水位計や二軸傾斜計と、任意の場所に設置されるシステム制御部との通信を、無線で行う無線通信手段を備えているものである。無線通信手段には、例えば、無線ＬＡＮが用いられ、水位計や二軸傾斜計等で計測したデータは、無線通信手段を介してシステム制御部に送信される。これにより、ケーソンから離れた場所において、ケーソンの各枡の水位データやケーソンの傾斜量が取得されるため、ケーソンの全ての枡への注水管理や、ケーソンの所定位置への誘導を、ケーソンから離れた位置で安全かつ正確に行うものとなる。
【００２０】
（７）上記（２）から（６）項において、前記複数の水位計により計測された水位データを収集及び記録するデータ収録装置を備えるケーソン誘導管理システム（請求項４）。
本項に記載のケーソン誘導管理システムは、ケーソンの全ての枡に設置される複数の水位計が計測した水位データを収集及び記録するための、ケーソン上に設置されるデータ収録装置を備えるものである。これにより、複数の水位計で計測した水位データが、データ収録装置に集約されることになるため、水位データがシステム制御部に送信される際に、複数の水位計により異なるタイミングで計測された水位データが、不定の順序で送信されるようなことはなく、複数の水位計により略同じタイミングで計測された水位データが、纏められて送信されることになる。更に、無線通信機能を有するデータ収録装置を備えることとすれば、システム制御部側のみに無線通信手段を備えることで、無線による通信を確立するものとなる。
【００２１】
（８）水面に浮上しているケーソンに注水を行い、既設構造物に隣接する所定の位置に誘導する方法であって、前記ケーソンに設けられた注水用の枡毎に設置される複数の水位計と、前記ケーソンに設置される二軸傾斜計と、前記既設構造物側に設置される、自動追尾機能を有する２台のトータルステーションと、前記ケーソンに設置される二軸傾斜計と、システム全体の制御を行うシステム制御部とを利用し、前記複数の水位計を用いて、前記ケーソンに設けられた全ての枡の水位を計測し、前記２台のトータルステーションと前記二軸傾斜計とを用いて、前記ケーソンの位置及び角度を計測し、前記システム制御部を用いて算出する情報を利用して、前記ケーソンに設けられた全ての枡への注水管理と、前記ケーソンの前記所定の位置への誘導とを行うケーソンの誘導管理方法。
【００２２】
本項に記載のケーソンの誘導管理方法は、据付けるケーソンに設けられている注水用の枡毎に、水圧センサー等の水位計を設置し、全ての枡の水位の計測を行う。又、自動追尾機能を有する２台のトータルステーションに、予めケーソン上に設置した２台の全方向ミラーの夫々を捕捉させ、ケーソンまでの距離と角度の計測を行う。更に、ケーソン上に二軸傾斜計を設置し、ケーソンの傾斜計側を行う。そして、これらの計測データを、据付けるケーソン上以外の任意の既設構造物、例えば、既設のケーソン上に設置したシステム制御部に送信し、システム制御部により、各計測データに基づいた、ケーソンの注水管理を行うために必要な情報と、ケーソンを所定の位置に誘導するために必要な情報とを算出する。このように算出した、ケーソンの注水管理を行うために必要な情報を参照しながら、ケーソンの各枡への注水量を調整するため、作業員がケーソン上で直接水位を計測することなく、安全にケーソンの水位管理を行うものとなる。更に、ケーソンを所定の位置に誘導するために必要な情報を参照してケーソンを誘導するため、リアルタイムに更新される情報に基づいて、ケーソンを所定の位置に正確に据付けるものとなる。
【００２３】
（９）上記（８）項において、前記システム制御部が表示部の画面に出力する、平面視方向からの前記ケーソンを表す矩形と該矩形の端辺上に設定される２つの誘導点とを用いて前記ケーソンの現在の位置を示した現在位置図と、前記ケーソンが前記所定の位置にある場合の、前記２つの誘導点の位置を表す２つの目標点と前記矩形とを用いて前記所定の位置を示した目標位置図と、前記２つの誘導点と前記２つの目標点との夫々の距離と、前記現在位置図における前記矩形の４つの頂角部夫々の高さと、前記ケーソンの現在の傾斜量を正面視方向から表した正面傾斜図と、前記ケーソンの現在の傾斜量を側面視方向から表した側面傾斜図との、少なくとも１つを含む誘導情報に基づいて、前記ケーソンを誘導するケーソンの誘導管理方法-（請求項５）。
【００２４】
本項に記載のケーソンの誘導管理方法は、システム制御部によって、必要十分な内容の誘導情報を、システム制御部に接続している表示部の画面に出力し、この誘導情報に基づいて、ケーソンを所定の位置に誘導するものである。具体的に説明すると、現在位置の平面視方向からのケーソンを矩形として表示し、更にその矩形の端辺上に設定する２つの誘導点を表示して、ケーソンの現在位置図とする。又、所定の据付位置にある場合のケーソンを、平面視方向からの矩形として表示し、更にその矩形の端辺上に現在位置図における誘導点と同様に設定する２つの目標点を表示して、ケーソンの目標位置図とする。そして、現在位置図と目標位置図とを同時に表示することで、ケーソンの現在位置と目標誘導位置との位置関係が、直感的に把握されるものとなる。
【００２５】
更に、現在位置図に設定する２つの誘導点と、目標位置図に設定する２つの目標点との夫々の距離を、例えば、現在位置図や目標位置図を正面視した場合の、上下方向と左右方向との夫々の距離に分解して表示する。この表示した距離を確認しながら、ケーソンの誘導を行うことで、ケーソンをより正確に目標位置に誘導するものとなる。
又、ケーソンの現在位置図における、矩形として表したケーソンの４つの頂角部夫々の高さを表示することで、ケーソンが着底するまでの高さ方向の管理を行うものとなる。
又、ケーソンの現在の傾斜量を正面視方向から表した正面傾斜図と、側面視方向から表した側面傾斜図とを表示することにより、ケーソンの傾斜量が把握される。そして、これらの正面傾斜図及び側面傾斜図と、ケーソンを平面視方向から示した現在位置図とで、ケーソンの現在の状態を三面方向から示すことになる。
【００２６】
（１０）上記（９）項において、前記システム制御部が算出する、隣接する枡間の水位差と、前記ケーソンの高さ方向の勾配量とを指標として、前記ケーソンに設けられた各枡への注水量を調整するケーソンの誘導管理方法。
本項に記載のケーソンの誘導管理方法は、ケーソンの各枡に設置した水位計により計測した水位データに基づいて、システム制御部により、隣接する各枡間の水位差を算出する。そして、各枡間の水位差を確認しながら注水量の調整を行うことで、各枡を隔てている壁部が、水位差から生じる水圧によって損傷されることを未然に防止するものとなる。
又、本項に記載のケーソンの誘導管理方法は、ケーソン上に設置した二軸傾斜計により計測したケーソンの傾斜量に基づいて、システム制御部によりケーソンの勾配量を算出する。そして、このケーソンの勾配量を確認しながら注水量の調整を行うため、常にケーソンが水平状態を維持するように、注水量を調整するものとなる。
【００２７】
（１１）上記（９）（１０）項において、前記システム制御部が算出する、前記ケーソンの現在の位置から前記所定の位置までの距離と、前記ケーソンの高さ方向の勾配量とを指標として、前記ケーソンを前記所定の位置に誘導するケーソンの誘導管理方法。
本項に記載のケーソンの誘導管理方法は、２台のトータルステーションにより計測するケーソンの距離及び角度データと、ケーソン上に設置した二軸傾斜計により計測するケーソンの傾斜量とに基づいて、システム制御部により、ケーソンの現在の位置からケーソンを据付ける所定位置までの距離及びケーソンの勾配量を算出する。そして、これらの情報を確認しながらケーソンの誘導を行うため、より正確にケーソンを誘導することとなる。
【００２８】
（１２）上記（９）から（１１）項において、前記システム制御部が表示部の画面に出力する、前記ケーソンに設けられた全ての枡の水位と、隣接する枡間の水位差と、入力された時間経過後の予測水位と、前記ケーソンを平面視した場合の４つの頂角部夫々の、所定の高さを基準位置とした相対的な高さと、前記４つの頂角部のうちの１つから、その頂角部を形成する端辺に沿って離れた位置に存在する２つの頂角部までの夫々の勾配量との、少なくとも１つを含む注水管理情報に基づいて、各枡への注水量を調整するケーソンの誘導管理方法（請求項６）。
【００２９】
本項に記載のケーソンの誘導管理方法は、システム制御部によって、必要十分な内容の注水管理情報を、システム制御部に接続している表示部の画面に出力し、この注水管理情報に基づいて、ケーソンの注水管理を行うものである。具体的に説明すると、例えば、ケーソンを平面視した場合の枡の並び方に対応するように、各枡を表す複数の矩形を並べて表示する。そして、それらの矩形内に対応する枡の水位を表示し、各矩形の間に対応する枡間の水位差を表示する。このような表示により、ケーソンに設けられている各枡と、表示している水位や水位差との対応が、直感的に把握されるものとなる。
又、システム制御部に任意の時間を入力し、現在の各枡への注水量を保った状態で、入力した任意の時間が経過した場合の、各枡の予測水位を表示する。そして、この予測水位を目安にすることで、注水を停止するタイミングを予測するものとなる。
更に、平面視したケーソンを矩形として捉え、この矩形の４つの頂角部夫々の高さを、例えば、４つの頂角部のうちの１つを基準位置とした相対的な高さで表示する。又、４つの頂角部のうちの１つから、その頂角部の対角線上にある頂角部以外の２つの頂角部までの、夫々の勾配量を表示する。そして、これらの表示内容を参照しながら、注水量の調整を行うことで、ケーソンが常に水平状態を保つように注水量を調整するものとなる。
【００３０】
（１３）上記（９）から（１２）項において、無線通信手段を用いて、前記ケーソン上に設置される装置と前記システム制御部との通信を行うケーソンの誘導管理方法（請求項７）。
本項に記載のケーソンの誘導管理方法は、ケーソン上に設置される複数の水位計や二軸傾斜計と、任意の場所に設置されるシステム制御部との通信を、無線通信手段を用いて行うものである。無線通信手段として、例えば、無線ＬＡＮを用いることができる。これにより、水位計で計測した水位データや二軸傾斜計で計測したケーソンの傾斜量等を、無線通信手段を介して、ケーソンから離れた場所に設置するシステム制御部に送信するものとなるため、ケーソンの全ての枡への注水管理や、ケーソンの所定位置への誘導を、ケーソンから離れた位置で安全かつ正確に行うものとなる。
【００３１】
（１４）上記（９）から（１３）項において、前記ケーソンに設置するデータ収録装置を用いて、前記複数の水位計が計測したデータを収集及び記録するケーソンの誘導管理方法（請求項８）。
本項に記載のケーソンの誘導管理方法は、ケーソンの全ての枡に設置される複数の水位計が計測した水位データを、ケーソン上に設置されるデータ収録装置を用いて、収集及び記録するものである。これにより、複数の水位計で計測した水位データを、データ収録装置に集約することになるため、水位データをシステム制御部に送信する際に、複数の水位計により異なるタイミングで計測した水位データを、不定の順序で送信するようなことはなく、複数の水位計により略同じタイミングで計測した水位データを、纏めて送信するものとなる。更に、無線通信機能を有するデータ収録装置を使用することとすれば、システム制御部側のみに無線通信手段を設置することで、無線による通信を行うものとなる。
【発明の効果】
【００３２】
本発明はこのように構成したので、ケーソンを所定の位置に正確に据付けることが可能となる。
【図面の簡単な説明】
【００３３】
【図１】本発明の実施の形態に係るケーソン誘導管理システムを概略的に示す概略図である。
【図２】本発明の実施の形態に係るケーソン誘導管理システムの、ケーソン誘導に係るシステム画面の一例を示したものである。
【図３】本発明の実施の形態に係るケーソン誘導管理システムの、ケーソンの注水管理に係るシステム画面の一例を示したものである。
【図４】本発明の実施の形態に係るケーソン誘導管理システムを用いて、ケーソンの誘導を行う手順の一例を示したフローチャ−トである。
【発明を実施するための形態】
【００３４】
以下、本発明の実施の形態を図面に基づき説明する。
図１は、本発明の実施の形態に係るケーソン誘導管理システム１０を用いて、新設ケーソン１２の注水管理や既設ケーソン１４に隣接する目標位置への誘導を行う様子を、平面視方向から概略的に示したものである。ケーソン誘導管理システム１０は、図示のように、新設ケーソン１２上に、二軸傾斜計１８と、新設ケーソン１２に設けられている枡２２毎に設置される複数の水位計２０と、複数の水位計２０の全てに接続されているデータ収録装置２８とを備えている。又、既設ケーソン１４上に、自動追尾機能を有する２台のトータルステーション１６と、システム全体の制御を行うシステム制御部２４とを備えており、システム制御部２４には、システム制御部２４が算出する情報を表示するための監視モニター２６が接続されている。更に、新設ケーソン１２と既設ケーソン１４との双方に、無線通信手段３０を備えている。
【００３５】
次に、ケーソン誘導管理システム１０の各構成要素について詳細に説明する。２台のトータルステーション１６は、夫々、新設ケーソン１２上に設置された２台の全方向ミラー１６ａを追尾し、距離及び角度の計測を行い、二軸傾斜計１８は、新設ケーソン１２の傾斜量を計測する。又、複数の水位計２０は、各々が設置されている枡２２の水位を計測するものであり、例えば、水圧センサー等が用いられる。そして、水位計２０が計測した水位データは、データ収録装置２８に全て送信され、データ収録装置２８により収集及び記録される。又、システム制御部２４は、上記のように計測された各計測データを取得し、これらの計測データに基づいて、枡２２への注水管理や、新設ケ−ソン１２の誘導に必要な各情報を算出し、監視モニター２６に表示する。このため、システム制御部２４には、例えば、パーソナルコンピュータ等が用いられ、マウスやキーボードによる操作が可能となっている。
【００３６】
又、無線通信手段３０には、例えば、無線ＬＡＮ等が用いられ、新設ケーソン１２に設置される各装置と、既設ケーソン１４に設置される各装置との無線による通信を確立するものである。図示の例では、複数の水位計２０により計測された水位データは、データ収録装置２８に集約されるため、各枡２２の水位データは、複数の水位計２０の各々からではなく、データ収録装置２８から送信される。又、データ収録装置２８が無線通信機能を有しているのであれば、新設ケーソン１２には無線通信手段３０を設置せずに、新設ケーソン１２に設置される各装置と既設ケーソン１４に設置される各装置との通信を、データ収録装置２８と既設ケーソン１４に設置される無線通信手段３０とを介して行ってもよい。
【００３７】
なお、図１に示す例では、水中に沈められているシンカー４８に端部が固定されている４本のワイヤ５２を、新設ケーソン１２に固定されている４台のウィンチ４０により、巻取り或いは繰出すことで、浮上している状態の新設ケーソン１２の位置を調整する。４台のウィンチ４０の操作は、既設ケーソン１４上の管理室５０内において、監視モニター２６に表示される誘導情報システム画面ＳＤ１（図２参照）を確認しながら、ウィンチ遠隔装置４４を用いて作業管理者により行われる。
【００３８】
又、新設ケーソン１２の各枡２２への注水量は、４台の水中ポンプ４２により、水中の水を枡２２内へ注水、或いは、枡２２内の水を水中へ排水することにより調整される。４台の水中ポンプ４２の操作は、管理室５０内において、監視モニター２６に表示される注水管理情報システム画面ＳＤ２（図３参照）を確認しながら、ポンプ遠隔装置４６を用いて作業管理者により行われる。
なお、図１の例では、新設ケーソン１２に２０個の枡２２が設けられており、５個の枡２２毎に４つの注水グループに分けられている。そして、同じ注水グループの５つの枡２２は、内部が水路により接続されており、注水された水を注水グループ内で共有している。このため、少なくとも４台の水中ポンプ４２を用いることにより、水中ポンプ４２の配置を変更せずに、４つの注水グループに分かれた全ての枡２２への注水量が調整されることになる。
【００３９】
次に、図２を参照して、本発明の実施の形態に係るケーソン誘導管理システム１０が、システム制御部２４により監視モニター２６に表示させる、誘導情報システム画面ＳＤ１の一例を説明する。誘導情報システム画面ＳＤ１は、新設ケーソン１２を既設ケーソン１４に隣接する目標位置に誘導するための、各情報を示すものである。まず、目標位置図ＴＬは、新設ケーソン１２を据付ける目標位置を示したものであり、目標位置に据付けた状態のケーソンを、平面視方向からの矩形で表現している。又、目標位置図ＴＬには、新設ケーソン１２を誘導する際の指標とするために設定される、目標点ＴＰ１及びＴＰ２が、矩形の端辺上（図２では右側端辺の中央と左側端辺の中央）に表示されている。目標位置図ＴＬの矩形と目標点ＴＰ１及びＴＰ２との表示位置や大きさは、少なくとも本システム画面を確認しながらの新設ケーソン１２の誘導作業中は固定されており、目標位置に係る情報が変更されるようなことがない限り、誘導情報システム画面ＳＤ１内で変化することはない。なお、目標位置の位置情報は、２台のトータルステーション１６と目標位置との位置関係等に基づいて、予めシステム制御部２４に入力、或いは、システム制御部２４により算出されるものとする。
【００４０】
又、現在位置図１２Ｌは、新設ケーソン１２の現在位置を、平面視方向から矩形で示したものであり、目標位置図ＴＬの目標点ＴＰ１及びＴＰ２と同じように設定される、誘導点ＮＰ１及びＮＰ２と共に表示される。現在位置図１２Ｌの矩形の大きさは固定されているが、矩形の表示位置や表示角度は、現在の新設ケーソン１２と据付の目標位置との、実際の位置関係の変化に対応して、目標位置図ＴＬを基準として相対的にリアルタイムに変化していく。新設ケーソン１２と目標位置との実際の位置関係は、２台のトータルステーション１６等の計測結果に基づいて、システム制御部２４により算出される。更に、現在位置図１２Ｌには、新設ケーソン１２の上面部の四隅夫々をＡ〜Ｄとした場合の、現在の夫々の高さを示す四隅標高ＦＨが、２台のトータルステーション１６や二軸傾斜計１８の計測結果に基づいて、矩形の対応する頂角部に表示されている。なお、図２の例では、現在位置図１２Ｌの矩形の、図中右下の頂角部をＡとして、時計回りにＡ〜Ｄを設定したものとする。
【００４１】
又、誘導情報システム画面ＳＤ１の上部に表示されている、誘導量ＧＰ１及びＧＰ２は、新設ケーソン１２を誘導する際の目安となる、現在位置図１２Ｌの誘導点ＮＰ１から目標位置図ＴＬの目標点ＴＰ１までの距離、及び、誘導点ＮＰ２から目標点ＴＰ２までの距離を、夫々示すものである。これらの距離は、誘導情報システム画面ＳＤ１内での上下方向をＸ方向、左右方向をＹ方向として、Ｘ方向の距離とＹ方向との距離とに分解されて、新設ケーソン１２を誘導する方向を示す矢印と共に表示されている。なお、これらの距離及び矢印の方向は、２台のトータルステーション１６等の計測結果に基づいて、システム制御部２４により算出されるものである。
【００４２】
更に、誘導情報システム画面ＳＤ１の左下部に表示されている、側面傾斜図ＣＩ１は、新設ケーソン１２を側面視した場合の現在の傾斜量を、側面視したケーソンを示す矩形と共に示したものである。なお、ここでの側面視とは、現在位置図１２Ｌにおける右側或いは左側から、新設ケーソン１２を見た状態を示している。このため、側面傾斜図ＣＩ１では、傾斜量を表示する方向を、現在位置図１２Ｌの矩形の右側端辺（Ａ−Ｄ）を見る方向と、現在位置図１２Ｌの矩形の左側端辺（Ｂ−Ｃ）を見る方向とで、選択ができるようになっている。同様に、誘導情報システム画面ＳＤ１の右下部に表示されている、正面傾斜図ＣＩ２は、新設ケーソン１２を正面視した場合の現在の傾斜量を、正面視したケーソンを示す矩形と共に示したものであり、傾斜量を表示する方向を、現在位置図１２Ｌの矩形の下側端辺（Ａ−Ｂ）を見る方向と、現在位置図１２Ｌの矩形の上側端辺（Ｄ−Ｃ）を見る方向とで、選択ができるようになっている。
なお、図中の符号１４Ｌは、既設ケーソン１４を示したものである。
【００４３】
続いて、図３を参照して、本発明の実施の形態に係るケーソン誘導管理システム１０が、システム制御部２４により監視モニター２６に表示させる、注水管理情報システム画面ＳＤ２の一例を説明する。注水管理情報システム画面ＳＤ２は、新設ケーソン１２の全ての枡２２の、注水管理を行うための各情報を示すものである。図中の符号１２Ｉで示す矩形は、平面視方向からの新設ケーソン１２を示す矩形であり、その方向は、図２の現在位置図１２Ｌや目標位置図ＴＬの矩形の方向と統一されている。又、新設ケーソン１２を示す矩形１２Ｉの内部に表示されている複数の矩形２２Ｌは、新設ケーソン１２に設けられている枡２２の配置を示すものである。図３の例では、図１の新設ケーソン１２と同様に、２０個の枡２２が設けられているものとして、矩形２２Ｌを表示している。枡２２の配置を示す複数の矩形２２Ｌは、新設ケーソン１２を平面視した場合の複数の枡２２の配置に対応するように、並べられて表示される。そして、各矩形２２Ｌの内部には、枡２２に設置されている水位計２０により計測した、対応する枡２２の現在の水位が表示されている。更に、各矩形２２Ｌの間に、矩形２２Ｌが対応する夫々の枡２２間の水位差ＬＧを表示している。なお、枡２２の配置を示す矩形２２Ｌの各々に、上述した注水グループ毎に異なる色を着けてもよく、又、枡２２間の水位差ＬＧに、その値の大きさに対応した色を着けるようにしてもよい。
【００４４】
又、新設ケーソン１２を示す矩形１２Ｉの４つの頂角部には、新設ケーソン１２の上面部の四隅の高さを、図３の例では左下隅の高さを基準位置として示した、相対的な高さＦＳが表示されている。そして、矩形１２Ｉの左側及び下側に表示されている、勾配量ＳＬ１及びＳＬ２は、新設ケーソン１２の図中上下方向及び左右方向の傾斜量を、各々示したものである。なお、これらの相対的な高さＦＳや勾配量ＳＬ１及びＳＬ２は、二軸傾斜計１８等の計測結果に基づいて算出される。
更に、注水管理情報システム画面ＳＤ２の右側には、全ての枡２２の現在の水位２２ＣＬが、枡２２の断面をイメージした図と共に、枡２２の配置を示す複数の矩形２２Ｌと同じ配置で示されている。現在の水位２２ＣＬの表示内容は、各矩形２２Ｌの内部に表示する水位と同様である。又、現在の水位２２ＣＬの上側には、現在の注水量を維持した状態で、符号ＴＩで示す箇所で入力された任意の時間が経過した場合の、予測水位２２ＥＬが表示されている。
【００４５】
次に、本発明の実施の形態に係るケーソン誘導管理システム１０を用いて、新設ケーソン１２の注水管理及び誘導を行う場合の、新設ケーソン１２の据付の手順の一例を、図４のフローチャートに従って説明する。なお、ケーソン誘導管理システム１０の構成や位置関係については図１を、ケーソン誘導管理システム１０が出力する各システム画面については図２及び図３を、夫々参照されたい。
Ｓ１０：据付を行う新設ケーソン１２の事前測量をする。すなわち、新設ケーソン１２の曳航を行う前に、新設ケーソン１２の出来形測定を行い、新設ケーソン１２の大きさ等を正確に把握する。これらの測定結果は、必要に応じてケーソン誘導管理システム１０のシステム制御部に入力される。
【００４６】
Ｓ２０：新設ケーソン１２や既設ケーソン１４に、ケーソン誘導管理システム１０の各構成要素や、ケーソンを誘導する際に必要となる装置の艤装を行う。すなわち、新設ケーソン１２に、２台のトータルステーション１６が追尾照準するための２台の全方向ミラー１６ａ、二軸傾斜計１８、複数の水位計２０、データ収録装置２８、無線通信手段３０、ウィンチ４０、ワイヤ５２等を設置する。又、既設ケーソン１４に、２台のトータルステーション１６、システム制御部２４、監視モニター２６、無線通信手段３０等を設置する。
Ｓ３０：上記Ｓ２０において設置した、各計測機器のキャリブレーションを行う。更に、各装置が正常に動作することを確認してもよい。
【００４７】
Ｓ４０：新設ケーソン１２を、据付の目標位置近辺まで曳航する。この際、新設ケーソン１２の大きさや、曳航する距離等に合わせて、浮上した状態の新設ケーソン１２を曳航船にて曳航する方法、新設ケーソン１２を大型起重機にて吊り下げた状態で曳航する方法等が用いられる。
Ｓ５０：新設ケーソン１２に設けられている各枡２２に対して、水中ポンプ４２により注水を行う。この際、システム制御部２４により監視モニター２６に表示される、図３で示すような注水管理情報システム画面ＳＤ２において、各枡２２の水位や各枡２２間の水位差を確認しながら、各枡２２間の水位差が過度に大きくなることのないようにバランス良く注水を行い、据付時の計画注水量の８割程度の注水量となるように、各枡２２の水位を調整する。こうすることで、新設ケーソン１２は、水流等の影響により大きく移動することのない安定した重量を有しながらも、据付の目標位置近辺で浮上した状態となる。なお、水中ポンプ４２の操作は、監視モニター２６と同じく既設ケーソン１４上の管理室５０に設置されている、ポンプ遠隔装置４６を用いて行う。
【００４８】
Ｓ６０：浮上した状態の新設ケーソン１２を、据付の目標位置まで誘導する。新設ケーソン１２の位置調整は、ワイヤ５２をウィンチ４０により巻取り或いは繰出すことで行われる。この際、システム制御部２４により監視モニター２６に表示される、図２で示すような誘導情報システム画面ＳＤ１において、新設ケーソン１２の現在位置から目標位置までの距離や、新設ケーソン１２の傾斜量等を確認しながら、ウィンチ４０を操作して誘導を行う。なお、ウィンチ４０の操作は、管理室５０に設置されているウィンチ遠隔装置４４を用いて行う。
Ｓ７０：上記Ｓ６０において、新設ケーソン１２を目標位置まで誘導した後に、再度、新設ケーソン１２の各枡２２に対して、水中ポンプ４２により注水を行う。この際、注水管理情報システム画面ＳＤ２において、各枡２２の水位や各枡２２間の水位差を確認しながら、各枡２２間の水位差が過度に大きくなることのないようにバランス良く注水を行い、据付時の計画注水量、或いは、その場で適切と判断される注水量となるように調整を行う。
【００４９】
Ｓ８０：上記Ｓ７０において注水を行い、新設ケーソン１２の重量を増加させることで、新設ケーソン１２が着底し、沈設された状態となる。
Ｓ９０：沈設した状態の新設ケーソン１２の出来形測定を行い、新設ケーソン１２が目標位置に正確に沈設されているか否かの判定を行う。そして、新設ケーソン１２が目標位置に正確に沈設されていると判定した場合（ＹＥＳ）は、Ｓ１１０へ移行し、新設ケーソン１２が目標位置に正確に沈設されていないと判定した場合（ＮＯ）は、Ｓ１００へ移行する。
【００５０】
Ｓ１００：上記Ｓ９０において、新設ケーソン１２が目標位置に正確に沈設されていないと判定した場合は、水中ポンプ４２を用いて新設ケーソン１２の各枡２２から排水を行う。この際、注水管理情報システム画面ＳＤ２において、各枡２２の水位や各枡２２間の水位差を確認しながら、各枡２２間の水位差が過度に大きくなることのないようにバランス良く排水を行う。そして、各枡２２の水位を下げ、新設ケーソン１２の重量を減らすことで、新設ケーソン１２を再度浮上させる。その後、Ｓ６０へ復帰する。
Ｓ１１０：上記Ｓ９０において、新設ケーソン１２が目標位置に正確に沈設されていると判定した場合は、新設ケーソン１２の据付が完了となる。
【００５１】
さて、上記構成をなす本発明の実施の形態によれば、次のような作用効果を得ることが可能である。すなわち、本発明の実施の形態に係るケーソン誘導管理システム１０は、図１に示すように、新設ケーソン１２に設けられている注水用の枡２２毎に設置される、例えば、水圧センサー等の複数の水位計２０を有しており、これらの水位計２０を利用して、新設ケーソン１２の全ての枡２２の水位を計測する。そして、水位計２０により計測した水位データは、新設ケーソン１２上以外の任意の既設構造物、図１の例では既設ケーソン１４上に設置されている、システム全体の制御を行うシステム制御部２４に送信される。システム制御部２４は、この水位データに基づいて、新設ケーソン１２の全ての枡２２への注水を管理するために必要な情報を算出する。そして、これらの情報を参照しながら、新設ケーソン１２の各枡２２への注水量を調整することとすれば、作業員が新設ケーソン１２上で直接水位を計測する必要もなく、安全に新設ケーソン１２の水位管理を行うことができる。
【００５２】
又、本発明の実施の形態に係るケーソン誘導管理システム１０は、図１の例では既設ケーソン１４上に設置されている、自動追尾機能を有する２台のトータルステーション１６を有している。そして、この２台のトータルステーション１６により、新設ケーソン１２上に設置される２台の全方向ミラー１６ａを追尾して、角度と距離との計測を行う。更に、新設ケーソン１２上に二軸傾斜計１８を有しており、この二軸傾斜計１８による新設ケーソン１２の傾斜量の計測結果が、システム制御部２４に送信される。そして、システム制御部２４は、２台のトータルステーション１６による計測結果と、二軸傾斜計１８による計測結果とを併せて、リアルタイムに新設ケーソン１２の位置及び角度データを算出する。更に、この新設ケーソン１２の位置及び角度データに基づいて、新設ケーソン１２を所定の位置に誘導するために必要な情報を算出する。このため、これらの情報を参照して、新設ケーソン１２を誘導することとすれば、リアルタイムに更新される情報に基づいて、新設ケーソン１２を所定の位置に正確に誘導することが可能となる。
【００５３】
なお、ケーソン誘導管理システム１０全体の制御を行うシステム制御部２４は、入力や操作を受け付けるための入力操作部と、算出した各情報を表示するための表示部とを含むものであり、図１の例では、パーソナルコンピュータを用いて構築されている。この場合には、マウスやキーボード（図示省略）が入力操作部であり、システム制御部２４に接続された監視モニター２６等が表示部である。又、表示部は、図１の監視モニター２６のように複数接続されていてもよく、こうすることにより、新設ケーソン１２の全ての枡２２への注水を管理するために必要な情報や、新設ケーソン１２を所定の位置に誘導するために必要な情報等の、システム制御部２４により算出する様々な情報を、別々の表示部に同時に表示させることができるため、新設ケーソン１２の誘導を、より効率よく行うことができる。
【００５４】
更に、本発明の実施の形態に係るケーソン誘導管理システム１０は、水位計２０により計測する全ての枡２２の水位データに基づいて、システム制御部２４により、隣接する全ての枡２２間の水位差を算出するものである。このため、算出された各枡２２間の水位差を確認しながら、注水量の調整を行うこととすれば、各枡２２を隔てている壁部が、水位差から生じる水圧によって損傷されることを、未然に防止することが可能となる。
又、新設ケーソン１２上に設置した二軸傾斜計１８により計測する、新設ケーソン１２の傾斜量に基づいて、システム制御部２４により、新設ケーソン１２の高さ方向の勾配量を算出することとすれば、勾配量を確認しながら注水作業を行うことができるため、新設ケーソン１２が常に水平状態を保つように、注水量を調整することが可能となる。
【００５５】
又、本発明の実施の形態に係るケーソン誘導管理システム１０は、２台のトータルステーション１６により計測する新設ケーソン１２の距離及び角度データと、新設ケーソン１２上に設置した二軸傾斜計１８により計測する新設ケーソン１２の傾斜量とに基づいて、新設ケーソン１２を所定の位置に誘導するために必要な情報として、新設ケーソン１２の現在の位置から所定の位置までの距離と、新設ケーソン１２の高さ方向の勾配量とを算出するものである。すなわち、新設ケーソン１２を所定の位置に誘導するための、新設ケーソン１２の緯度及び経度方向に係る情報を、新設ケーソン１２の現在の位置から所定の位置までの距離で表し、新設ケーソン１２の高さ方向に係る情報を、新設ケーソン１２の勾配量で表すものである。これにより、現在の新設ケーソン１２の状態を、緯度方向、経度方向、高さ方向の３方向に係る数値で示すことになるため、新設ケーソン１２を所定の位置に誘導するための情報を、具体的な内容で提供することが可能となり、これらの情報を確認しながら新設ケーソン１２の誘導を行うことで、より正確に新設ケーソン１２を誘導することができる。
【００５６】
更に、本発明の実施の形態に係るケーソン誘導管理システム１０は、新設ケーソン１２に設けられた全ての枡２２への注水管理に必要な注水管理情報として、図３に示す注水管理情報システム画面ＳＤ２のような、必要十分な内容を表示部の画面に出力することとしてもよい。具体的に説明すると、新設ケーソン１２に設けられた全ての枡２２の水位は、新設ケーソン１２を平面視した場合の枡２２の並び方に対応するように、各枡２２の配置を示す矩形２２Ｌを並べて、その内部に表示させる。又、隣接する枡２２間の水位差は、並べて表示されている各矩形２２Ｌの間に、夫々対応する枡２２間の水位差を、符号ＬＧで示すように表示させる。このように表示させることで、新設ケーソン１２に設けられている各枡２２と、注水管理情報システム画面ＳＤ２に表示されている水位や水位差との対応を、直感的に把握することができる。
【００５７】
又、注水管理情報システム画面ＳＤ２では、現在の注水量を保った状態で、図中の符号ＴＩで示す予測水位を表示させる時間に入力された時間が経過した場合の、各枡２２の予測水位２２ＥＬを、各枡２２の現在の水位２２ＣＬと共に表示させてもよい。この予測水位２２ＥＬを目安にすれば、適切なタイミングで注水を停止させることができる。
更に、平面視した新設ケーソン１２を矩形１２Ｉとして表示させ、その矩形１２Ｉの４つの頂角部夫々の高さＦＳを、図３の例では左下の頂角部を基準位置とした、相対的な高さで表示させる。又、４つの頂角部のうちの１つから、その頂角部の対角線上にある頂角部以外の２つの頂角部まで（図３では左下の頂角部から左上の頂角部及び右下の頂角部まで）の、夫々の勾配量ＳＬ１及びＳＬ２を表示させる。そして、これらの表示内容を参照しながら、注水量の調整を行うことで、新設ケーソン１２が常に水平状態を保つように、容易に注水量を調整することができる。
【００５８】
更に、本発明の実施の形態に係るケーソン誘導管理システム１０は、新設ケーソン１２を所定の位置に誘導するために必要な誘導情報として、図２に示す誘導情報システム画面ＳＤ１のような、必要十分な内容を表示部の画面に出力することとしてもよい。具体的に説明すると、現在位置の平面視方向からの新設ケーソン１２を矩形として表示させ、更にその矩形の端辺上に設定される２つの誘導点ＮＰ１及びＮＰ２を表示させて、新設ケーソン１２の現在位置図１２Ｌとする。２つの誘導点ＮＰ１及びＮＰ２は、図２の例では、既設ケーソン１４に対向する面に該当する矩形の右側端辺と、右側端辺に向かい合う左側端辺との、夫々の中央部付近に設定されている。又、据付の目標位置にある状態の新設ケーソン１２を平面視方向からの矩形として表示させ、更にその矩形の端辺上に現在位置図１２Ｌにおける誘導点ＮＰ１及びＮＰ２と同様に設定される２つの目標点ＴＰ１及びＴＰ２を表示させて、新設ケーソン１２の目標位置図ＴＬとする。そして、これらの現在位置図１２Ｌと目標位置図ＴＬとを同時に表示させることで、新設ケーソン１２の現在位置と目標誘導位置との位置関係を、直感的に把握することができる。
【００５９】
更に、現在位置図１２Ｌに設定されている２つの誘導点ＮＰ１及びＮＰ２と、目標位置図ＴＬに設定されている２つの目標点ＴＰ１及びＴＰ２との夫々の距離を表示させる。図２の例では、図中の上下方向と左右方向との夫々の方向に分解して、２つの誘導点ＮＰ１及びＮＰ２と、２つの目標点ＴＰ１及びＴＰ２との夫々の距離を、誘導量ＧＰ１及びＧＰ２として表示させている。これらの誘導量ＧＰ１及びＧＰ２の表示を確認しながら、新設ケーソン１２の誘導を行うことで、新設ケーソン１２をより正確に目標位置に誘導することができる。
又、新設ケーソン１２の現在位置図１２Ｌにおける、矩形として表された新設ケーソン１２の４つの頂角部夫々の高さを、四隅標高ＦＨとして表示させることで、新設ケーソン１２が着底するまでの高さ管理を、容易に行うことができる。
【００６０】
又、新設ケーソン１２の現在の傾斜量を側面視方向から表した側面傾斜図ＣＩ１と、正面視方向から表した正面傾斜図ＣＩ２とを表示させることで、新設ケーソン１２の傾斜量を容易に把握することができる。
そして、これらの側面傾斜図ＣＩ１及び正面傾斜図ＣＩ２と、新設ケーソン１２を平面視方向から示した現在位置図１２Ｌとで、新設ケーソン１２の現在の状態が三面方向から示されることになる。すなわち、２台のトータルステーション１６と二軸傾斜計１８との計測結果から、新設ケーソン１２の現在の状態を三次元的に表示することが可能となる。
【００６１】
又、本発明の実施の形態に係るケーソン誘導管理システム１０は、新設ケーソン１２上に設置されている複数の水位計２０や二軸傾斜計１８と、既設ケーソン１４上に設置されているシステム制御部２４との通信を、無線で行う無線通信手段３０を備えているものである。無線通信手段３０には、例えば、無線ＬＡＮが用いられ、水位計２０や二軸傾斜計１８等で計測したデータは、無線通信手段３０を介してシステム制御部２４に送信される。これにより、新設ケーソン１２から離れた位置の既設ケーソン１４上において、新設ケーソン１２の各枡２２の水位データや新設ケーソン１２の傾斜量を取得することが可能となり、新設ケーソン１２の全ての枡２２への注水管理や、新設ケーソン１２の所定位置への誘導を、新設ケーソン１２から離れた位置で安全かつ正確に行うことができる。
【００６２】
更に、本発明の実施の形態に係るケーソン誘導管理システム１０は、新設ケーソン１２の全ての枡２２に設置される複数の水位計２０が計測した水位データを収集及び記録するための、新設ケーソン１２上に設置されるデータ収録装置２８を備えるものである。これにより、複数の水位計２０で計測した水位データが、データ収録装置２８に集約されることになるため、水位データがシステム制御部２４に送信される際に、複数の水位計２０により異なるタイミングで計測された水位データを、不定の順序で送信するようなことはなく、複数の水位計２０により略同じタイミングで計測された水位データを、纏めて送信することが可能となる。更に、無線通信機能を有するデータ収録装置２８を備えることとすれば、システム制御部２４側のみに無線通信手段３０を備えることで、無線による通信を確立することができる。
【符号の説明】
【００６３】
１０：ケーソン誘導管理システム、１２：新設ケーソン、１４：既設ケーソン、１６：トータルステーション、１８：二軸傾斜計、２０：水位計、２２：枡、２４：システム制御部、２８：データ収録装置、３０：無線通信手段、ＬＧ：枡２２間の水位差、ＦＳ：基準位置からの四隅の相対的な高さ、ＳＬ１、ＳＬ２：勾配量、２２ＣＬ：枡２２の現在の水位、２２ＥＬ：枡２２の予測水位
【図１】
0005984491.tif 000002
【図２】
0005984491.tif 000003
【図３】
0005984491.tif 000004
【図４】
0005984491.tif 000005